(57)【要約】【課題】事前の準備のためのユーザの負担を軽減し、自己が所有するコンテンツを簡単な操作によってデータ移送可能とする。【解決手段】ユーザ携帯端末２０が、コンテンツ制御装置１０に割り当てられているＩＰアドレスを用いてそのコンテンツ制御装置２０に接続要求を行い、コンテンツ制御装置２０から取得したクライアント操作画面に表示されたコンテンツ一覧からコンテンツの指定を受け付け、指定されたコンテンツを特定可能なクライアント操作情報を送信し、クライアント操作情報が示すコンテンツを受信する。また、コンテンツ制御装置１０が、自己のＩＰアドレスを用いて接続要求を行ったユーザ携帯端末２０に対してクライアント操作画面を提供し、ユーザ携帯端末２０からのクライアント操作情報が示すコンテンツを、自己が備えるコンテンツ格納部１９から検索し、ユーザ携帯端末２０に送信する。【選択図】図５
2009037328.tif 000002
【特許請求の範囲】
【請求項１】
通信ネットワークに接続されるユーザ携帯端末と、該ユーザ携帯端末からの要求に応じて当該ユーザ携帯端末にデータ移送させるコンテンツを送信するコンテンツ制御装置とを備えたコンテンツデータ移送システムであって、
前記ユーザ携帯端末は、
前記コンテンツ制御装置に割り当てられているアドレスを用いて当該コンテンツ制御装置に接続要求を行う接続要求手段と、
前記コンテンツ制御装置から取得したユーザ操作用画面を表示するユーザ操作用画面表示手段と、
前記ユーザ操作用画面に表示されたコンテンツ一覧からユーザ操作によるコンテンツの指定を受け付けるコンテンツ指定受付手段と、
ユーザ操作によって指定されたコンテンツを特定可能なコンテンツ特定データを送信するコンテンツ特定データ送信手段と、
前記コンテンツ制御装置からの前記コンテンツ特定データが示すコンテンツを受信するコンテンツ受信手段とを含み、
前記コンテンツ制御装置は、
自己のアドレスを用いて接続要求を行った前記ユーザ携帯端末に対して、当該ユーザ携帯端末において利用可能な前記ユーザ操作用画面を提供するユーザ操作用画面提供手段と、
前記ユーザ携帯端末からの前記コンテンツ特定データを受信するコンテンツ特定データ受信手段と、
前記コンテンツ特定データが示すコンテンツを、自己が備えるコンテンツ記憶手段から検索するコンテンツ検索手段と、
該コンテンツ検索手段によって検索されたコンテンツを前記ユーザ携帯端末に送信するコンテンツ送信手段とを含む
ことを特徴とするコンテンツデータ移送システム。
【請求項２】
前記ユーザ操作用画面には、前記コンテンツ制御装置が備える前記コンテンツ記憶手段に記憶されているコンテンツの一覧を示すコンテンツ一覧を表示し、当該コンテンツ一覧からユーザ操作によるコンテンツの指定を受け付けるコンテンツ表示領域が設けられている
請求項１記載のコンテンツデータ移送システム。
【請求項３】
前記コンテンツ制御装置は、自己に割り当てられているアドレスを示すコード情報を画面表示するコード情報表示手段を有し、
前記ユーザ携帯端末は、画面表示されているコード情報を読み取るコードリーダを有し、
前記接続要求手段は、前記コードリーダによって読み取られたコード情報が示すアドレスを用いて接続要求を行う
請求項１または請求項２記載のコンテンツデータ移送システム。
【請求項４】
通信ネットワークに接続されるユーザ携帯端末からの要求に応じて当該ユーザ携帯端末にデータ移送させるコンテンツを送信するコンテンツ制御装置であって、
自己に割り当てられているアドレスを用いて接続要求を行った前記ユーザ携帯端末に対して、当該ユーザ携帯端末において利用可能な前記ユーザ操作用画面を提供するユーザ操作用画面提供手段と、
前記ユーザ携帯端末からの前記ユーザ操作用画面に表示されたコンテンツ一覧からユーザ操作によって指定されたコンテンツを特定可能なコンテンツ特定データを受信するコンテンツ特定データ受信手段と、
前記コンテンツ特定データが示すコンテンツを、自己が備えるコンテンツ記憶手段から検索するコンテンツ検索手段と、
該コンテンツ検索手段によって検索されたコンテンツを前記ユーザ携帯端末に送信するコンテンツ送信手段とを含む
ことを特徴とするコンテンツ制御装置。
【請求項５】
通信ネットワークに接続されるユーザ携帯端末と、該ユーザ携帯端末からの要求に応じて当該ユーザ携帯端末にデータ移送させるコンテンツを送信するコンテンツ制御装置と、該コンテンツ制御装置のアドレスを管理するアドレス管理装置とを備えたコンテンツデータ移送システムであって、
前記ユーザ携帯端末は、
前記コンテンツ制御装置に割り当てられている装置ＩＤを提示して、前記アドレス管理装置に対して前記コンテンツ制御装置への接続要求を依頼する接続要求依頼手段と、
前記コンテンツ制御装置から取得したユーザ操作用画面を表示するユーザ操作用画面表示手段と、
前記ユーザ操作用画面に表示されたコンテンツ一覧からユーザ操作によるコンテンツの指定を受け付けるコンテンツ指定受付手段と、
ユーザ操作によって指定されたコンテンツを特定可能なコンテンツ特定データを送信するコンテンツ特定データ送信手段と、
前記コンテンツ制御装置からの前記コンテンツ特定データが示すコンテンツを受信するコンテンツ受信手段とを含み、
前記アドレス管理装置は、
前記ユーザ携帯端末からの接続要求依頼に応じて、提示された前記装置ＩＤに対応付けされている前記コンテンツ制御装置に割り当てられているアドレスを特定するアドレス特定手段と、
該アドレス特定手段が特定したアドレスを用いて前記コンテンツ制御装置に対して前記ユーザ携帯端末との接続を要求するための接続要求を行う接続要求手段とを含み、
前記コンテンツ制御装置は、
自己のアドレスを用いた接続要求によって特定される接続要求依頼元である前記ユーザ携帯端末に対して、当該ユーザ携帯端末において利用可能な前記ユーザ操作用画面を提供するユーザ操作用画面提供手段と、
前記ユーザ携帯端末からの前記コンテンツ特定データを受信するコンテンツ特定データ受信手段と、
前記コンテンツ特定データが示すコンテンツを、自己が備えるコンテンツ記憶手段から検索するコンテンツ検索手段と、
該コンテンツ検索手段によって検索されたコンテンツを前記ユーザ携帯端末に送信するコンテンツ送信手段とを含む
ことを特徴とするコンテンツデータ移送システム。
【請求項６】
前記ユーザ操作用画面には、前記コンテンツ制御装置が備える前記コンテンツ記憶手段に記憶されているコンテンツの一覧を示すコンテンツ一覧を表示し、当該コンテンツ一覧からユーザ操作によるコンテンツの指定を受け付けるコンテンツ表示領域が設けられている
請求項５記載のコンテンツデータ移送システム。
【請求項７】
前記アドレス管理装置は、
前記コンテンツ制御装置に割り当てられている装置ＩＤとアドレスとを対応付けして登録するアドレス管理テーブルと、
前記コンテンツ制御装置に割り当てられているアドレスが更新されたことに応じて、前記アドレス管理テーブルに登録されているアドレスを更新するアドレス更新手段とを含み、
前記アドレス特定手段は、前記アドレス管理テーブルを参照して提示された前記装置ＩＤに対応付けされているアドレスを特定する
請求項５または請求項６記載のコンテンツデータ移送システム。
【請求項８】
所定の装置ＩＤが割り当てられ、自己のアドレスが前記装置ＩＤに対応付けされてアドレス管理装置によって管理されており、通信ネットワークに接続されるユーザ携帯端末からの要求に応じて当該ユーザ携帯端末にデータ移送させるコンテンツを送信するコンテンツ制御装置であって、
前記装置ＩＤを提示した前記ユーザ携帯端末からの接続要求依頼に応じた前記アドレス管理装置からの前記アドレスを用いた接続要求によって特定される接続要求依頼元である前記ユーザ携帯端末に対して、当該ユーザ携帯端末において利用可能な前記ユーザ操作用画面を提供するユーザ操作用画面提供手段と、
前記ユーザ携帯端末からの前記ユーザ操作用画面に表示されたコンテンツ一覧からユーザ操作によって指定されたコンテンツを特定可能なコンテンツ特定データを受信するコンテンツ特定データ受信手段と、
前記コンテンツ特定データが示すコンテンツを、自己が備えるコンテンツ記憶手段から検索するコンテンツ検索手段と、
該コンテンツ検索手段によって検索されたコンテンツを前記ユーザ携帯端末に送信するコンテンツ送信手段とを含む
ことを特徴とするコンテンツ制御装置。
【発明の詳細な説明】
【技術分野】
【０００１】
本発明は、通信ネットワークに接続されるユーザ携帯端末からの要求に応じてそのユーザ携帯端末にデータ移送させるコンテンツを送信するための技術に関する。
【背景技術】
【０００２】
従来から、個人ユーザが所有する音楽ＣＤ（コンパクトディスク）に格納された楽曲データなどのコンテンツを、そのユーザの携帯通信端末にダウンロードして利用することができるようにした通信システムが提案されている。
【０００３】
例えば特許文献１には、動画ファイルや音声ファイルなどのコンテンツを通信ネットワーク上のサーバ装置にアップロードしておき、そのサーバ装置から端末装置にダウンロードすることが可能なコンテンツ閲覧システムが開示されている。
【０００４】
【特許文献１】特開２００６−３０１８８９号公報
【発明の開示】
【発明が解決しようとする課題】
【０００５】
ところが、上述した特許文献１に記載された発明では、携帯通信端末にコンテンツをダウンロードするための準備として、携帯通信端末にダウンロードする可能性のあるコンテンツをストレージサーバにアップロードしておく必要がある。
【０００６】
上記のように、特許文献１に記載された発明では、アップロードとダウンロードの二段階の処理を常に必要とするため、ユーザにとっては処理操作が煩わしいという問題があった。事前にアップロードされストレージサーバに保存しておいたコンテンツでなければ、外出先等で突然利用したくなったような場合にダウンロードすることができないという問題もあった。
【０００７】
本発明は、上記の問題を解消すべく、事前の準備のためのユーザの負担を軽減することができ、自己が所有するコンテンツを簡単な操作によってデータ移送することができるようにすることを目的とする。
【課題を解決するための手段】
【０００８】
本発明のコンテンツデータ移送システムは、通信ネットワークに接続されるユーザ携帯端末と、該ユーザ携帯端末からの要求に応じて当該ユーザ携帯端末にデータ移送させるコンテンツを送信するコンテンツ制御装置とを備えたコンテンツデータ移送システムであって、前記ユーザ携帯端末は、前記コンテンツ制御装置に割り当てられているアドレスを用いて当該コンテンツ制御装置に接続要求を行う接続要求手段と、前記コンテンツ制御装置から取得したユーザ操作用画面を表示するユーザ操作用画面表示手段と、前記ユーザ操作用画面に表示されたコンテンツ一覧からユーザ操作によるコンテンツの指定を受け付けるコンテンツ指定受付手段と、ユーザ操作によって指定されたコンテンツを特定可能なコンテンツ特定データを送信するコンテンツ特定データ送信手段と、前記コンテンツ制御装置からの前記コンテンツ特定データが示すコンテンツを受信するコンテンツ受信手段とを含み、前記コンテンツ制御装置は、自己のアドレスを用いて接続要求を行った前記ユーザ携帯端末に対して、当該ユーザ携帯端末において利用可能な前記ユーザ操作用画面を提供するユーザ操作用画面提供手段と、前記ユーザ携帯端末からの前記コンテンツ特定データを受信するコンテンツ特定データ受信手段と、前記コンテンツ特定データが示すコンテンツを、自己が備えるコンテンツ記憶手段から検索するコンテンツ検索手段と、該コンテンツ検索手段によって検索されたコンテンツを前記ユーザ携帯端末に送信するコンテンツ送信手段とを含むことを特徴とする。
【０００９】
上記の構成としたことで、ストレージサーバにコンテンツをアップロードしたりする必要がないため事前の準備のためのユーザの負担を軽減することができ、自己が所有するコンテンツを簡単な操作によってデータ移送することができるようになる。
【００１０】
前記ユーザ操作用画面には、例えば、前記コンテンツ制御装置が備える前記コンテンツ記憶手段に記憶されているコンテンツの一覧を示すコンテンツ一覧を表示し、当該コンテンツ一覧からユーザ操作によるコンテンツの指定を受け付けるコンテンツ表示領域が設けられている。
【００１１】
前記コンテンツ制御装置は、自己に割り当てられているアドレスを示すコード情報を画面表示するコード情報表示手段を有し、前記ユーザ携帯端末は、画面表示されているコード情報を読み取るコードリーダを有し、前記接続要求手段は、前記コードリーダによって読み取られたコード情報が示すアドレスを用いて接続要求を行うように構成されていてもよい。
【００１２】
また、本発明のコンテンツ制御装置は、通信ネットワークに接続されるユーザ携帯端末からの要求に応じて当該ユーザ携帯端末にデータ移送させるコンテンツを送信するコンテンツ制御装置であって、自己に割り当てられているアドレスを用いて接続要求を行った前記ユーザ携帯端末に対して、当該ユーザ携帯端末において利用可能な前記ユーザ操作用画面を提供するユーザ操作用画面提供手段と、前記ユーザ携帯端末からの前記ユーザ操作用画面に表示されたコンテンツ一覧からユーザ操作によって指定されたコンテンツを特定可能なコンテンツ特定データを受信するコンテンツ特定データ受信手段と、前記コンテンツ特定データが示すコンテンツを、自己が備えるコンテンツ記憶手段から検索するコンテンツ検索手段と、該コンテンツ検索手段によって検索されたコンテンツを前記ユーザ携帯端末に送信するコンテンツ送信手段とを含むことを特徴とする。
【００１３】
また、本発明のコンテンツデータ移送システムは、通信ネットワークに接続されるユーザ携帯端末と、該ユーザ携帯端末からの要求に応じて当該ユーザ携帯端末にデータ移送させるコンテンツを送信するコンテンツ制御装置と、該コンテンツ制御装置のアドレスを管理するアドレス管理装置とを備えたコンテンツデータ移送システムであって、前記ユーザ携帯端末は、前記コンテンツ制御装置に割り当てられている装置ＩＤを提示して、前記アドレス管理装置に対して前記コンテンツ制御装置への接続要求を依頼する接続要求依頼手段と、前記コンテンツ制御装置から取得したユーザ操作用画面を表示するユーザ操作用画面表示手段と、前記ユーザ操作用画面に表示されたコンテンツ一覧からユーザ操作によるコンテンツの指定を受け付けるコンテンツ指定受付手段と、ユーザ操作によって指定されたコンテンツを特定可能なコンテンツ特定データを送信するコンテンツ特定データ送信手段と、前記コンテンツ制御装置からの前記コンテンツ特定データが示すコンテンツを受信するコンテンツ受信手段とを含み、前記アドレス管理装置は、前記ユーザ携帯端末からの接続要求依頼に応じて、提示された前記装置ＩＤに対応付けされている前記コンテンツ制御装置に割り当てられているアドレスを特定するアドレス特定手段と、該アドレス特定手段が特定したアドレスを用いて前記コンテンツ制御装置に対して前記ユーザ携帯端末との接続を要求するための接続要求を行う接続要求手段とを含み、前記コンテンツ制御装置は、自己のアドレスを用いた接続要求によって特定される接続要求依頼元である前記ユーザ携帯端末に対して、当該ユーザ携帯端末において利用可能な前記ユーザ操作用画面を提供するユーザ操作用画面提供手段と、前記ユーザ携帯端末からの前記コンテンツ特定データを受信するコンテンツ特定データ受信手段と、前記コンテンツ特定データが示すコンテンツを、自己が備えるコンテンツ記憶手段から検索するコンテンツ検索手段と、該コンテンツ検索手段によって検索されたコンテンツを前記ユーザ携帯端末に送信するコンテンツ送信手段とを含むことを特徴とする。
【００１４】
前記アドレス管理装置は、前記コンテンツ制御装置に割り当てられている装置ＩＤとアドレスとを対応付けして登録するアドレス管理テーブルと、前記コンテンツ制御装置に割り当てられているアドレスが更新されたことに応じて、前記アドレス管理テーブルに登録されているアドレスを更新するアドレス更新手段とを含み、前記アドレス特定手段は、前記アドレス管理テーブルを参照して提示された前記装置ＩＤに対応付けされているアドレスを特定するように構成されていてもよい。
【００１５】
さらに、本発明のコンテンツ制御装置は、所定の装置ＩＤが割り当てられ、自己のアドレスが前記装置ＩＤに対応付けされてアドレス管理装置によって管理されており、通信ネットワークに接続されるユーザ携帯端末からの要求に応じて当該ユーザ携帯端末にデータ移送させるコンテンツを送信するコンテンツ制御装置であって、前記装置ＩＤを提示した前記ユーザ携帯端末からの接続要求依頼に応じた前記アドレス管理装置からの前記アドレスを用いた接続要求によって特定される接続要求依頼元である前記ユーザ携帯端末に対して、当該ユーザ携帯端末において利用可能な前記ユーザ操作用画面を提供するユーザ操作用画面提供手段と、前記ユーザ携帯端末からの前記ユーザ操作用画面に表示されたコンテンツ一覧からユーザ操作によって指定されたコンテンツを特定可能なコンテンツ特定データを受信するコンテンツ特定データ受信手段と、前記コンテンツ特定データが示すコンテンツを、自己が備えるコンテンツ記憶手段から検索するコンテンツ検索手段と、該コンテンツ検索手段によって検索されたコンテンツを前記ユーザ携帯端末に送信するコンテンツ送信手段とを含むことを特徴とする。
【発明の効果】
【００１６】
本発明によれば、ストレージサーバにコンテンツをアップロードしたりする必要がないため事前の準備のためのユーザの負担を軽減することができ、自己が所有するコンテンツを簡単な操作によってデータ移送することができるようになる。
【発明を実施するための最良の形態】
【００１７】
以下、本発明の一実施の形態について図面を参照して説明する。
【００１８】
図１は、本発明の一実施の形態におけるコンテンツデータ移送システム１００の構成の例を示すブロック図である。図１に示すように、本例のコンテンツデータ移送システム１００は、コンテンツ制御装置１０と、ユーザ携帯端末２０とを含む。コンテンツ制御装置１０と、ユーザ携帯端末２０とは、例えばインターネット等の通信ネットワーク３０に接続されている。
【００１９】
コンテンツ制御装置１０は、通信ネットワーク３０に接続可能なパーソナルコンピュータ、オーディオコンポーネント、ビデオプレイヤ、テレビジョン、ゲーム装置などのマルチメディア機器によって構成される。なお、「コンテンツ」は、例えば、楽曲コンテンツ、動画コンテンツ、静止画コンテンツ、ビデオゲームコンテンツなどが該当する。
【００２０】
ユーザ携帯端末２０は、音楽コンテンツや映像コンテンツなどのコンテンツを利用可能な携帯型の端末装置であって、通信ネットワーク３０に無線接続可能な例えば携帯電話端末、携帯通信端末、携帯型ゲーム装置などによって構成される。
【００２１】
図２は、本例のコンテンツデータ移送システム１００におけるコンテンツ制御装置１０の構成例を示すブロック図である。図２に示すように、コンテンツ制御装置１０は、制御プログラムに従って装置１０全体の制御を行う制御部１１と、コンテンツの送受信等に係る通信制御を実行する通信制御部１２と、クライアント操作情報受付部１３と、クライアント操作情報解析部１４と、クライアント操作実行指示部１５と、クライアント操作用ＧＵＩ（Graphical User Interface）提供部１６と、例えば液晶表示装置などによって構成され各種のデータを画面表示するデータ表示部１７と、例えばキーボードやマウスなどの入力装置によって構成され各種のデータを操作入力するデータ入力部１８と、データベース装置などの記憶媒体によって構成されコンテンツ（コンテンツデータ）が格納されるコンテンツ格納部１９とを含む。なお、制御部１１に処理を実行させるための制御プログラムは、コンテンツ制御装置１０が備える図示しないメモリに格納されているものとする。
【００２２】
図３は、本例のコンテンツデータ移送システム１００におけるユーザ携帯端末２０の構成例を示すブロック図である。図３に示すように、ユーザ携帯端末２０は、制御プログラムに従って端末２０全体の制御を行う制御部２１と、コンテンツの送受信等に係る通信制御を実行する通信制御部２２と、クライアント操作情報作成部２３と、クライアント操作情報送信部２４と、クライアント操作用ＧＵＩ受信部２５と、例えば液晶表示装置などによって構成され各種のデータを画面表示するデータ表示部２６と、例えばキーボードやテンキーなどの入力装置によって構成され各種のデータを操作入力するデータ入力部２７と、データベース装置などの記憶媒体によって構成されコンテンツが格納されるコンテンツ格納部２８とを含む。
【００２３】
次に、本例のコンテンツデータ移送システム１００の動作について説明する。
ここでは、説明を簡単にするため、本発明に特に関わる処理以外は、説明を省略している場合があるものとする。ここでは、ユーザＸが、例えば自宅に設置しているコンテンツ制御装置１０が備えるコンテンツ格納部１９に保存しているコンテンツを、自己が管理するユーザ携帯端末２０にデータ移送する処理について説明する。なお、本例では、「データ移送」は、通信ネットワーク３０を介してデータを移動させるために、そのデータを送信することを意味し、データの移動の際にそのデータの複製（コピー）を伴う場合と、データの複製を伴わない場合（送信元の保存データを消去する場合）とを含む。
【００２４】
なお、ここでは、ユーザ携帯端末２０には、コンテンツ制御装置１０に割り当てられているＩＰ（Internet Protocol）アドレスが予め登録されているものとする。この登録は、本例では、ユーザＸの操作によって、コンテンツ制御装置１０のデータ表示部１７に自己のＩＰアドレスを示す二次元バーコードを表示させ、その画面表示された二次元バーコードをユーザ携帯端末２０のバーコードリーダ機能を用いてユーザ携帯端末２０に取得させ登録させるようにすればよい。
【００２５】
本例では、コンテンツ制御装置１０は、自己に割り当てられているＩＰアドレスを取得する機能と、ユーザＸの操作に応じて自己のＩＰアドレスを示す二次元バーコードを生成し、生成した二次元バーコードをデータ表示部１７に表示する機能とを有する。二次元バーコードは、例えば図４に示すように、コンテンツ制御装置１０がＨＤＤビデオデッキ１０ａとテレビジョン装置１０ｂとで構成されルータを介して通信ネットワーク３０に接続されている場合には、データ表示部１７の役割を持つテレビジョン装置１０ｂの表示画面上に表示される。
【００２６】
なお、コンテンツ制御装置１０のＩＰアドレスをユーザ携帯端末２０に登録させる手法は、どのような手法であってもよい。また、「ＩＰアドレス」は一例であり、通信ネットワーク３０上で用いられるコンテンツ制御装置１０に割り当てられているアドレスであれば、どのようなものであってもよい。また、「ＩＰアドレス」は、グローバルなＩＰアドレスに限られず、ＮＡＴ（Network Address Translation）やＩＰマスカレードなどのグローバルなＩＰアドレスを複数の端末装置で共有する技術を利用する場合にコンテンツ制御装置１０に割り当てられたローカルなＩＰアドレスを含む。コンテンツ制御装置１０に割り当てられているローカルなＩＰアドレスを利用する場合には、コンテンツ制御装置１０にアクセスするためのグローバルなＩＰアドレス及びローカルなＩＰアドレス（あるいはローカルなＩＰアドレスを特定可能なデータ）を示す二次元バーコードをデータ表示部１７に表示させ、ユーザ携帯端末２０に登録させるようにすればよい。
【００２７】
図５は、本例のコンテンツデータ移送システム１００におけるコンテンツ転送処理の例を示すフローチャートである。コンテンツ転送処理にいて、ユーザ携帯端末２０の制御部２１は、先ず、ユーザＸの操作に応じて、自己が備えるメモリに登録されているコンテンツ制御装置１０のＩＰアドレスを用いて、コンテンツ制御装置１０にアクセスする（ステップＳ１０１）。ステップＳ１０１では、例えば、ユーザ携帯端末２０の端末ＩＤなどのユーザ認証のための情報が提示される。
【００２８】
ユーザ携帯端末２０からアクセスされると、コンテンツ制御装置１０の制御部１１は、例えば受信した端末ＩＤが正規のＩＤであるかを確認することによって、アクセス元を認証するか否か決定するユーザ認証処理を実行する（ステップＳ２０１）。認証することに決定すると、コンテンツ制御装置１０のクライアント操作用ＧＵＩ提供部１６は、通信ネットワーク３０を介してユーザ携帯端末に対してクライアント操作用ＧＵＩを送信する（ステップＳ２０２）。
【００２９】
ユーザ携帯端末２０は、クライアント操作用ＧＵＩ受信部２５によってクライアント操作用ＧＵＩを受信すると、制御部１１によって受信したクライアント操作用ＧＵＩをデータ表示部２６に表示する（ステップＳ１０２）。クライアント操作用ＧＵＩが示すクライアント操作画面には、例えば図６に示すように、コンテンツ制御装置１０に格納されているコンテンツのファイル名等が表示させるコンテンツ表示領域５０と、決定ボタン５１とが設けられている。
【００３０】
次に、ユーザ携帯端末２０は、ユーザＸによるデータ入力部２７の操作を示すクライアント操作を受け付け（ステップＳ１０３）、受け付けたクライアント操作の内容を示すクライアント操作情報を作成する（ステップＳ１０４）。
【００３１】
ここでは、ステップＳ１０３にて、コンテンツ表示領域５０に表示されたコンテンツのうちデータ移送を希望するコンテンツの選択操作と、データ移送を希望するコンテンツの選択が完了したことを示す選択ボタン６１の押下操作とを受け付ける。なお、ステップＳ１０３にて受付可能なクライアント操作は、コンテンツの選択操作や、その選択完了操作に限らず、例えばコンテンツのプレビューを依頼するための操作など、コンテンツ制御装置１０で実行可能な各種の処理を依頼するための操作を含む。
【００３２】
また、ここでは、ステップＳ１０４にて、ステップＳ１０３にて受け付けたデータ移送対象のコンテンツを示すコンテンツ特定情報（具体的には例えばファイル名）を含むクライアント操作情報を作成する。そして、ユーザ携帯端末２０のクライアント操作情報送信部２４は、ステップＳ１０４にて作成されたクライアント操作情報を、コンテンツ制御装置１０に向けて送信する（ステップＳ１０５）。
【００３３】
クライアント操作情報を受信すると、コンテンツ制御装置１０は、受信したクライアント操作情報を受け付け（ステップＳ２０３）、受け付けたクライアント操作情報を解析する（ステップＳ２０４）。ステップＳ２０４では、コンテンツ制御装置１０のクライアント操作情報解析部１４によって、クライアント操作情報が示すクライアント指定操作の内容を解析する処理が実行される。ここでは、ステップＳ２０４にて、データ移送希望のコンテンツを検索し、ユーザ携帯端末２０に向けて送信する処理操作が、クライアント指定操作であるという解析結果を得る。
【００３４】
次いで、コンテンツ制御装置１０のクライアント操作実行指示部１５は、ステップＳ２０４の解析結果であるクライアント指示操作が示す処理を実行するよう制御部１１に指示する。そして、この指示に従って、制御部１１は、ステップＳ２０４の解析結果が示すクライアント指示操作が示す処理を実行する（ステップＳ２０５）。本例では、ステップＳ２０５にて、コンテンツ制御装置１０が備えるコンテンツ格納部１９からユーザＸによって指定されたコンテンツが検索され、検索されたコンテンツが通信ネットワーク３０を介してユーザ携帯端末２０に送信される。なお、本例では、ステップＳ２０５にてユーザ携帯端末２０にコンテンツを送信した場合には、コンテンツ制御装置１０は、送信したコンテンツがコピーすることを禁止されているものであった場合（個人使用のためのコピー許容回数を超えていた場合を含む）、そのコンテンツをコンテンツ格納部１９から削除する処理を実行する。
【００３５】
そして、ユーザ携帯端末２０は、ステップＳ２０５の実行によって送信されたコンテンツを受信する（ステップＳ１０６）。上記のようにして、ユーザＸによってユーザ携帯端末２０を操作して外出先等にて指定されたコンテンツが、例えば自宅等に設置されているコンテンツ制御装置１０からユーザ携帯端末２０にデータ移送される。
【００３６】
以上に説明したように、上述した一実施の形態では、ユーザ携帯端末２０が、コンテンツ制御装置１０に割り当てられているＩＰアドレスを用いてそのコンテンツ制御装置２０に接続要求を行い、コンテンツ制御装置２０から取得したクライアント操作画面（ユーザ操作用画面の一例）を表示し、このクライアント操作画面に表示されたコンテンツ一覧からユーザ操作によるコンテンツの指定を受け付け、ユーザ操作によって指定されたコンテンツを特定可能なコンテンツ特定データ（クライアント操作情報の一例）を送信し、コンテンツ制御装置１０からのコンテンツ特定データが示すコンテンツを受信する。また、コンテンツ制御装置１０が、自己のＩＰアドレスを用いて接続要求を行ったユーザ携帯端末２０に対して、そのユーザ携帯端末２０において利用可能なクライアント操作画面を提供し、ユーザ携帯端末２０からのコンテンツ特定データを受信し、コンテンツ特定データが示すコンテンツを、自己が備えるコンテンツ格納部１９から検索し、検索したコンテンツをユーザ携帯端末２０に送信する構成とされている。このような構成によって、ストレージサーバにコンテンツをアップロードしたりする必要がなくなり事前の準備のためのユーザの負担を軽減することができ、自己が所有するコンテンツを簡単な操作によってデータ移送することができるようになる。
【００３７】
すなわち、ユーザにとっては、コンテンツ制御装置１０のＩＰアドレスをバーコードリーダ機能によって事前にユーザ携帯端末２０に登録しておくだけで、ユーザ携帯端末２０を用いて外出先からコンテンツ制御装置１０にアクセスすることができ、コンテンツ制御装置１０に格納されているコンテンツを、ユーザインタフェースを用いて簡単な操作によってデータ移送することが可能となる。また、通信ネットワーク３０上のストレージサーバなどにコンテンツを保存しておく必要がないので、他の者にコンテンツが不正にデータ移送されてしまうことを防止することができ、コンテンツを安全に外出先等で個人利用することが可能となる。
【００３８】
また、上述した実施の形態では、クライアント操作画面に、コンテンツ制御装置１０が備えるコンテンツ格納部１９に記憶されているコンテンツの一覧を示すコンテンツ一覧を表示し、そのコンテンツ一覧からユーザ操作によるコンテンツの指定を受け付けるためのコンテンツ表示領域（表示領域５０）が設けられている構成とされているので、コンテンツの一覧からデータ移送を希望するコンテンツを選択するだけの簡単な操作によって、コンテンツ制御装置１０に格納されている自己が所有するコンテンツを外部においてユーザ携帯端末２０にデータ移送することが可能となる。
【００３９】
また、上述した実施の形態では、コンテンツ制御装置１０が、自己に割り当てられているＩＰアドレスを示すコード情報を画面表示し、ユーザ携帯端末２０が、画面表示されているコード情報を読み取るコードリーダを有し、このコードリーダによって読み取られたコード情報が示すＩＰアドレスを用いて接続要求を行う構成としているので、コンテンツ制御装置１０に割り当てられているＩＰアドレスを容易にユーザ携帯端末２０に登録することができ、事前の準備のためのユーザの負担を軽減することができ、自己が所有するコンテンツを簡単な操作によってデータ移送することができるようになる。
【００４０】
また、上述した実施の形態では、コンテンツ制御装置１０が、自己に割り当てられているＩＰアドレスを用いて接続要求を行ったユーザ携帯端末２０に対して、そのユーザ携帯端末２０において利用可能なクライアント操作画面（ユーザ操作用画面の一例）を提供し、ユーザ携帯端末２０からのユーザ操作用画面に表示されたコンテンツ一覧からユーザ操作によって指定されたコンテンツを特定可能なコンテンツ特定データを受信し、コンテンツ特定データが示すコンテンツを、自己が備えるコンテンツ格納部１９から検索し、検索したコンテンツをユーザ携帯端末２０に送信する構成とされているので、ストレージサーバにコンテンツをアップロードしたりする必要がなくなり事前の準備のためのユーザの負担を軽減することができ、自己が所有するコンテンツを簡単な操作によってデータ移送することができるようになる。
【００４１】
なお、上述した実施の形態では、ユーザ携帯端末２０がコンテンツ制御装置１０のＩＰアドレスを用いてそのコンテンツ制御装置１０に直接アクセスする構成としていたが、ユーザ携帯端末２０が、コンテンツ制御装置１０のＩＰアドレスを通信ネットワーク３０上で管理するアドレス管理サーバを介して、コンテンツ制御装置１０にアクセスするようにしてもよい。
【００４２】
図７は、本発明の他の実施形態におけるコンテンツデータ移送システム２００の構成例を示すブロック図である。なお、以下の説明においては、上述した一実施の形態において説明したものと同様に構成されるものについては、同一の符号を付与してその詳細な説明は省略する。本例におけるコンテンツデータ移送システム２００は、コンテンツ制御装置１０と、ユーザ携帯端末２０と、アドレス管理サーバ４０とを含む。コンテンツ制御装置１０、ユーザ携帯端末２０、およびアドレス管理サーバ４０は、それぞれ、通信ネットワークに接続されている。
【００４３】
アドレス管理サーバ４０は、コンテンツ制御装置１０のＩＰアドレスを管理する機能を有し、例えばＤＮＳ（Domain Name System）サーバなどのサーバ装置によって構成される。本例では、コンテンツ制御装置１０のＩＰアドレスが動的に変化するものとする。コンテンツ制御装置１０は、自己に割り当てられているＩＰアドレスが更新される度に、通信ネットワーク３０を介してアドレス管理サーバ４０に更新されたＩＰアドレスを通知する。アドレス管理サーバ４０は、コンテンツ制御装置１０に一意に付与されている装置ＩＤと、そのコンテンツ制御装置１０に割り当てられているＩＰアドレスとを対応付けして管理している。
【００４４】
次に、本発明の他の実施形態におけるコンテンツデータ移送システム２００の動作について説明する。ここでは、説明を簡単にするため、本発明に特に関わる処理以外は、説明を省略している場合があるものとする。また、ここでは、ユーザＸが、例えば自宅に設置しているコンテンツ制御装置１０が備えるコンテンツ格納部１９に保存しているコンテンツを、自己が管理するユーザ携帯端末２０にデータ移送する処理について説明する。
【００４５】
なお、ここでは、ユーザ携帯端末２０には、コンテンツ制御装置１０に一意に付与されている装置ＩＤが予め登録されているものとする。この登録は、本例では、ユーザＸによる装置ＩＤの入力操作によって行われる。なお、コンテンツ制御装置１０の装置ＩＤをユーザ携帯端末２０に登録させる手法は、どのような手法であってもよい。
【００４６】
図８は、コンテンツデータ移送システム２００におけるコンテンツ転送処理の例を示すフローチャートである。コンテンツ転送処理にいて、ユーザ携帯端末２０の制御部２１は、先ず、ユーザＸの操作に応じて、自己が備えるメモリに登録されているコンテンツ制御装置１０の装置ＩＤと、自己の端末ＩＤとを提示して、アドレス管理サーバ４０にアクセス（接続要求依頼）する（ステップＳ１０１ａ）。
【００４７】
ユーザ携帯端末２０からアクセスされると、アドレス管理サーバ４０は、例えば図９に示すようなアドレス管理テーブルを参照して、提示されたコンテンツ制御装置１０の装置ＩＤに対応付けされているＩＰアドレスを探索することで、コンテンツ制御装置１０のＩＰアドレスを特定する（ステップＳ３０１）。本例では、図９に示すように、アドレス管理テーブルには、装置ＩＤと、その装置ＩＤが付与されているコンテンツ制御装置のＩＰアドレスと、そのコンテンツ制御装置を管理するユーザのユーザＩＤとが対応付けされて登録されている。
【００４８】
次いで、アドレス管理サーバ４０は、特定したＩＰアドレスを用いて、コンテンツ制御装置１０にアクセス（ユーザ携帯端末２０との接続要求）する（ステップＳ３０２）。
【００４９】
接続要求を受けた場合には、コンテンツ制御装置１０は、ステップＳ２０１にて認証することに決定すると、ステップＳ２０２にてユーザ携帯端末２０に対してクライアント操作用ＧＵＩを送信する。その後は、図５を参照して説明した処理と同様に、ステップＳ１０２以降の処理が実行される。
【００５０】
以上に説明したように、上述した他の実施の形態では、ユーザ携帯端末２０が、コンテンツ制御装置１０に割り当てられている装置ＩＤを提示して、アドレス管理サーバ４０に対してコンテンツ制御装置１０への接続要求を依頼し、コンテンツ制御装置１０から取得したクライアント操作画面（ユーザ操作用画面の一例）を表示し、このクライアント操作画面に表示されたコンテンツ一覧からユーザ操作によるコンテンツの指定を受け付け、ユーザ操作によって指定されたコンテンツを特定可能なコンテンツ特定データ（クライアント操作情報の一例）を送信し、コンテンツ制御装置１０からのコンテンツ特定データが示すコンテンツを受信する。また、アドレス管理サーバ４０が、ユーザ携帯端末２０からの接続要求依頼に応じて、提示された装置ＩＤに対応付けされているコンテンツ制御装置１０に割り当てられているＩＰアドレスを特定し、特定したＩＰアドレスを用いてコンテンツ制御装置１０に対してユーザ携帯端末２０との接続を要求するための接続要求を行う。そして、コンテンツ制御装置が、自己のＩＰアドレスを用いた接続要求によって特定される接続要求依頼元であるユーザ携帯端末２０に対して、そのユーザ携帯端末２０において利用可能なユーザ操作用画面を提供し、ユーザ携帯端末２０からのコンテンツ特定データを受信し、コンテンツ特定データが示すコンテンツを、自己が備えるコンテンツ格納部１９から検索し、検索したコンテンツをユーザ携帯端末２０に送信する構成とされている。このような構成によって、ストレージサーバにコンテンツをアップロードしたりする必要がなくなり事前の準備のためのユーザの負担を軽減することができ、自己が所有するコンテンツを簡単な操作によってデータ移送することができるようになる。また、コンテンツ制御装置１０のＩＰアドレスが動的に変化（更新）される場合であっても、ユーザ携帯端末２０に装置ＩＤを登録しておくことによって、自己が所有するコンテンツを簡単な操作によってデータ移送することができるようになる。
【００５１】
また、上述した他の実施の形態では、アドレス管理サーバ４０が、コンテンツ制御装置１０に割り当てられている装置ＩＤとＩＰアドレスとを対応付けして登録するアドレス管理テーブルを有し、コンテンツ制御装置１０に割り当てられているＩＰアドレスが更新されたことに応じて、アドレス管理テーブルに登録されているＩＰアドレスを更新し、アドレス管理テーブルを参照して提示された装置ＩＤに対応付けされているＩＰアドレスをコンテンツ制御装置１０に割り当てられているＩＰアドレスとして特定する構成としているので、コンテンツ制御装置１０のＩＰアドレスが動的に変化（更新）される場合であっても、ユーザ携帯端末２０に装置ＩＤを登録しておくことによって、自己が所有するコンテンツを簡単な操作によってデータ移送することができるようになる。
【００５２】
また、上述した他の実施の形態では、所定の装置ＩＤが割り当てられ、自己のＩＰアドレスがその装置ＩＤに対応付けされてアドレス管理サーバ４０によって管理されているコンテンツ制御装置１０が、その装置ＩＤを提示したユーザ携帯端末２０からの接続要求依頼に応じたアドレス管理サーバ４０からのＩＰアドレスを用いた接続要求によって特定される接続要求依頼元であるユーザ携帯端末２０に対して、そのユーザ携帯端末２０において利用可能なクライアント操作画面（ユーザ操作用画面の一例）を提供し、ユーザ携帯端末２０からのクライアント操作画面に表示されたコンテンツ一覧からユーザ操作によって指定されたコンテンツを特定可能なコンテンツ特定データ（クライアント操作情報の一例）を受信し、コンテンツ特定データが示すコンテンツを、自己が備えるコンテンツ格納部１９から検索し、検索したコンテンツをユーザ携帯端末２０に送信する構成とされているので、ストレージサーバにコンテンツをアップロードしたりする必要がなくなり事前の準備のためのユーザの負担を軽減することができ、自己が所有するコンテンツを簡単な操作によってデータ移送することができるようになる。また、コンテンツ制御装置１０のＩＰアドレスが動的に変化（更新）される場合であっても、ユーザ携帯端末２０に装置ＩＤを登録しておくことによって、自己が所有するコンテンツを簡単な操作によってデータ移送することができるようになる。
【００５３】
なお、上述した他の実施の形態におけるコンテンツデータ移送システム２００を、コンテンツ制御装置１０のＩＰアドレスが動的に変化（更新）されない場合に用いることとしてもよい。この場合、アドレス管理サーバ４０は、初期登録後はアドレス管理テーブル（図９参照）の登録内容を更新することがない。
【００５４】
また、上述した実施の形態では特に言及していないが、コンテンツ制御装置１０は、上述したステップＳ２０４での解析において、データ移送希望のコンテンツがコピーすることを禁止されているコンテンツ（個人使用のためのコピー許容回数を超えているコンテンツを含む）であるか否かを確認し、コピーが禁止されているコンテンツであれば、データ移送することによって移送対象のコンテンツがコンテンツ格納部１９から削除されることをユーザ携帯端末２０に通知することとし、ユーザ携帯端末２０側から移送対象のコンテンツの削除を許容する旨の回答を受けた場合に限りステップＳ２０５の処理を実行することとしてもよい。このように構成すれば、コンテンツ制御装置１０が備えるコンテンツ格納部１９から意に反してコンテンツが消去されてしまうことを防止することができる。また、各コンテンツに設定されているコピー制限（コピー回数制限を含む）を遵守することが可能となる。
【産業上の利用可能性】
【００５５】
本発明によれば、事前の準備のためのユーザの負担を軽減し、自己が所有するコンテンツを簡単な操作によってデータ移送するコンテンツダウンロードシステムに適用するのに有用である。
【図面の簡単な説明】
【００５６】
【図１】本発明の一実施の形態におけるコンテンツデータ移送システムの構成例を示すブロック図である。
【図２】コンテンツ制御装置の構成例を示すブロック図である。
【図３】ユーザ携帯端末の構成例を示すブロック図である。
【図４】二次元バーコードの表示態様の例を示す説明図である。
【図５】本発明の一実施の形態におけるコンテンツデータ移送処理の例を示すフローチャートである。
【図６】クライアント操作画面の例を示す説明図である。
【図７】本発明の他の実施の形態におけるコンテンツデータ移送システムの構成例を示すブロック図である。
【図８】本発明の他の実施の形態におけるコンテンツデータ移送処理の例を示すフローチャートである。
【図９】アドレス管理テーブルの例を示す説明図である。
【符号の説明】
【００５７】
１０            コンテンツ制御装置
２０            ユーザ携帯端末
３０            通信ネットワーク
４０            アドレス管理サーバ
１００，２００  コンテンツデータ移送システム
【図１】
2009037328.tif 000003
【図２】
2009037328.tif 000004
【図３】
2009037328.tif 000005
【図４】
2009037328.tif 000006
【図５】
2009037328.tif 000007
【図６】
2009037328.tif 000008
【図７】
2009037328.tif 000009
【図８】
2009037328.tif 000010
【図９】
2009037328.tif 000011